(57)【要約】【課題】設定変更のミスを低減することができる画像処理装置、システム、情報処理装置及びプログラムを提供する。【解決手段】ＣＰＵ１１が、画像処理装置２の位置を示す位置情報を取得し（ステップＳ３）、取得された位置情報の示す位置が、画像処理装置２の現在の設定が有効である範囲内にない場合に、データベース１３Ａから、取得された位置情報を含む有効範囲に連付けされた画像処理装置の設定情報を検出し（ステップＳ５，Ｓ６）、当該検出された設定情報を使って画像処理装置２の現在の設定を更新する（ステップＳ７）。【選択図】図４
2014010440.tif 000002
【特許請求の範囲】
【請求項１】
画像処理装置の位置を示す位置情報を取得する第１取得手段と、
前記取得された位置情報の示す位置が、前記画像処理装置の現在の設定が有効である範囲内にない場合に、画像処理装置の設定情報と当該設定情報の有効範囲とを関連付けているデータベースから、前記取得された位置情報を含む有効範囲に関連付けされた画像処理装置の設定情報を取得する第２取得手段と、
当該取得された設定情報を使って前記画像処理装置の現在の設定を更新する更新手段と
を備えることを特徴とする画像処理装置。
【請求項２】
前記画像処理装置の機能毎に、前記画像処理装置の現在の設定の維持又は変更を実行する設定画面を表示する表示手段を備えることを特徴とする請求項１に記載の画像処理装置。
【請求項３】
前記第１取得手段が前記位置情報を取得できない場合又は前記第２取得手段が前記画像処理装置の設定情報を取得できない場合に、前記表示手段は、前記画像処理装置の位置及び前記設定情報の有効範囲を地図上に表示することを特徴とする請求項２に記載の画像処理装置。
【請求項４】
前記第１取得手段が前記位置情報を取得できない場合又は前記第２取得手段が前記画像処理装置の設定情報を取得できない場合に、前記表示手段は警告表示を行うことを特徴とする請求項２に記載の画像処理装置。
【請求項５】
前記第１取得手段が前記位置情報を取得できない場合又は前記第２取得手段が前記画像処理装置の設定情報を取得できない場合に、前記画像処理装置を初期状態に戻す制御手段を備えることを特徴とする請求項１乃至４のいずれか１項に記載の画像処理装置。
【請求項６】
前記データベースでは、前記設定情報の有効範囲としての仕向け地が前記画像処理装置の設定情報と関連付けされていることを特徴とする請求項１乃至５のいずれか１項に記載の画像処理装置。
【請求項７】
前記データベースでは、前記画像処理装置の設定情報としてのソフトウエアのライセンスを有効にするか否かを示す情報が前記設定情報の有効範囲と関連付けされていることを特徴とする請求項１乃至６のいずれか１項に記載の画像処理装置。
【請求項８】
前記画像処理装置は、前記データベースを備え、当該データベースと同期する他のデータベースを備える情報処理装置に接続されていることを特徴とする請求項１乃至７のいずれか１項に記載の画像処理装置。
【請求項９】
前記画像処理装置の向きを示す向き情報を取得する第３取得手段を備え、
前記第２取得手段は、前記取得された向き情報の示す向きが、前記画像処理装置の現在の設定が有効である範囲内にない場合に、前記データベースから、前記取得された向き情報を含む有効範囲に関連付けされた画像処理装置の設定情報を取得することを特徴とする請求項１乃至８のいずれか１項に記載の画像処理装置。
【請求項１０】
画像処理装置及び情報処理装置を有するシステムであって、
前記情報処理装置は、
画像処理装置の設定情報と画像処理装置の位置を示す位置情報を含む有効範囲とを関連付けているデータベースと、
前記画像処理装置から受信した位置情報に基づいて前記データベースを検索する検索手段と、
前記検索結果として前記位置情報に対応する設定情報を前記画像処理装置に送信する第１送信手段とを備え、
前記画像処理装置は、
前記位置情報を取得する第１取得手段と、
当該取得された位置情報及び前記データベースの検索命令を送信する第２送信手段と、
前記情報処理装置から送信された前記位置情報に対応する設定情報を使って前記画像処理装置の現在の設定を更新する更新手段と
を備えることを特徴とするシステム。
【請求項１１】
画像処理装置の設定情報と画像処理装置の位置を示す位置情報を含む有効範囲とを関連づけているデータベースと、
前記画像処理装置から受信した位置情報に基づいて前記データベースを検索する検索手段と、
前記検索結果として前記位置情報に対応する設定情報を前記画像処理装置に送信する送信手段と
を備えることを特徴とする情報処理装置。
【請求項１２】
コンピュータを、
画像処理装置の位置を示す位置情報を取得する第１取得手段、
前記取得された位置情報の示す位置が、前記画像処理装置の現在の設定が有効である範囲内にない場合に、画像処理装置の設定情報と当該設定情報の有効範囲とを関連づけているデータベースから、前記取得された位置情報を含む有効範囲に関連付けされた画像処理装置の設定情報を取得する第２取得手段、及び
当該取得された設定情報を使って前記画像処理装置の現在の設定を更新する更新手段
として機能させることを特徴とするプログラム。
【発明の詳細な説明】
【技術分野】
【０００１】
本発明は、画像処理装置、システム、情報処理装置及びプログラムに関する。
【背景技術】
【０００２】
ネットワーク対応機器の位置情報を記憶し、ネットワーク対応機器の移動を検出すると、管理者に警告を発する技術が知られている（例えば、特許文献１参照）。この技術では、移動後の位置情報が管理者により更新される。
【先行技術文献】
【特許文献】
【０００３】
【特許文献１】特開２００４−１９８８５１号公報
【発明の概要】
【発明が解決しようとする課題】
【０００４】
本発明の目的は、設定変更のミスを低減することができる画像処理装置、システム、情報処理装置及びプログラムを提供することにある。
【課題を解決するための手段】
【０００５】
上記目的を達成するため、請求項１の画像処理装置は、画像処理装置の位置を示す位置情報を取得する第１取得手段と、前記取得された位置情報の示す位置が、前記画像処理装置の現在の設定が有効である範囲内にない場合に、画像処理装置の設定情報と当該設定情報の有効範囲とを関連付けているデータベースから、前記取得された位置情報を含む有効範囲に関連付けされた画像処理装置の設定情報を取得する第２取得手段と、当該取得された設定情報を使って前記画像処理装置の現在の設定を更新する更新手段とを備えることを特徴とする。
【０００６】
請求項２の画像処理装置は、請求項１に記載の画像処理装置において、前記画像処理装置の機能毎に、前記画像処理装置の現在の設定の維持又は変更を実行する設定画面を表示する表示手段を備えることを特徴とする。
【０００７】
請求項３の画像処理装置は、請求項２に記載の画像処理装置において、前記第１取得手段が前記位置情報を取得できない場合又は前記第２取得手段が前記画像処理装置の設定情報を取得できない場合に、前記表示手段は、前記画像処理装置の位置及び前記設定情報の有効範囲を地図上に表示することを特徴とする。
【０００８】
請求項４の画像処理装置は、請求項２に記載の画像処理装置において、前記第１取得手段が前記位置情報を取得できない場合又は前記第２取得手段が前記画像処理装置の設定情報を取得できない場合に、前記表示手段は警告表示を行うことを特徴とする。
【０００９】
請求項５の画像処理装置は、請求項１乃至４のいずれか１項に記載の画像処理装置について、前記第１取得手段が前記位置情報を取得できない場合又は前記第２取得手段が前記画像処理装置の設定情報を取得できない場合に、前記画像処理装置を初期状態に戻す制御手段を備えることを特徴とする。
【００１０】
請求項６の画像処理装置は、請求項１乃至５のいずれか１項に記載の画像処理装置において、前記データベースでは、前記設定情報の有効範囲としての仕向け地が前記画像処理装置の設定情報と関連付けされていることを特徴とする。
【００１１】
請求項７の画像処理装置は、請求項１乃至６のいずれか１項に記載の画像処理装置において、前記データベースでは、前記画像処理装置の設定情報としてのソフトウエアのライセンスを有効にするか否かを示す情報が前記設定情報の有効範囲と関連付けされていることを特徴とする。
【００１２】
請求項８の画像処理装置は、請求項１乃至７のいずれか１項に記載の画像処理装置において、前記画像処理装置は、前記データベースを備え、当該データベースと同期する他のデータベースを備える情報処理装置に接続されていることを特徴とする。
【００１３】
請求項９の画像処理装置は、請求項１乃至８のいずれか１項に記載の画像処理装置において、前記画像処理装置の向きを示す向き情報を取得する第３取得手段を備え、前記第２取得手段は、前記取得された向き情報の示す向きが、前記画像処理装置の現在の設定が有効である範囲内にない場合に、前記データベースから、前記取得された向き情報を含む有効範囲に関連付けされた画像処理装置の設定情報を取得することを特徴とする。
【００１４】
請求項１０のシステムは、画像処理装置及び情報処理装置を有するシステムであって、前記情報処理装置は、画像処理装置の設定情報と画像処理装置の位置を示す位置情報を含む有効範囲とを関連付けているデータベースと、前記画像処理装置から受信した位置情報に基づいて前記データベースを検索する検索手段と、前記検索結果として前記位置情報に対応する設定情報を前記画像処理装置に送信する第１送信手段とを備え、前記画像処理装置は、前記位置情報を取得する第１取得手段と、当該取得された位置情報及び前記データベースの検索命令を送信する第２送信手段と、前記情報処理装置から送信された前記位置情報に対応する設定情報を使って前記画像処理装置の現在の設定を更新する更新手段とを備えることを特徴とする。
【００１５】
請求項１１の情報処理装置は、画像処理装置の設定情報と画像処理装置の位置を示す位置情報を含む有効範囲とを関連づけているデータベースと、前記画像処理装置から受信した位置情報に基づいて前記データベースを検索する検索手段と、前記検索結果として前記位置情報に対応する設定情報を前記画像処理装置に送信する送信手段とを備えることを特徴とする。
【００１６】
請求項１２のプログラムは、コンピュータを、画像処理装置の位置を示す位置情報を取得する第１取得手段、前記取得された位置情報の示す位置が、前記画像処理装置の現在の設定が有効である範囲内にない場合に、画像処理装置の設定情報と当該設定情報の有効範囲とを関連づけているデータベースから、前記取得された位置情報を含む有効範囲に関連付けされた画像処理装置の設定情報を取得する第２取得手段、及び当該取得された設定情報を使って前記画像処理装置の現在の設定を更新する更新手段として機能させることを特徴とする。
【発明の効果】
【００１７】
請求項１の発明によれば、設定変更のミスを低減することができる。
【００１８】
請求項２の発明によれば、画像処理装置の機能毎に、画像処理装置の現在の設定の維持又は変更を選択できる。
【００１９】
請求項３の発明によれば、管理者が画像処理装置をどこに移動させればよいのかを把握できる。
【００２０】
請求項４の発明によれば、画像処理装置が適切な位置に設置されていないことを操作者に通知できる。
【００２１】
請求項５の発明によれば、画像処理装置内の情報のセキュリティが向上する。
【００２２】
請求項６の発明によれば、画像処理装置の仕向け地毎に画像処理装置の設定を変更できる。
【００２３】
請求項７の発明によれば、画像処理装置の移動に応じてソフトウエアのライセンスの設定を行うことができる。
【００２４】
請求項８の発明によれば、画像処理装置を入れ替える際に、データベースを新たな画像処理装置へ移す作業が容易にできる。
【００２５】
請求項９の発明によれば、画像処理装置の向きの変更に応じて必要な設定変更のミスを低減することができる。
【００２６】
請求項１０の発明によれば、設定変更のミスを低減することができる。
【００２７】
請求項１１の発明によれば、画像処理装置の設定変更を補助することがきる。
【００２８】
請求項１２の発明によれば、設定変更のミスを低減することができる。
【図面の簡単な説明】
【００２９】
【図１】本発明の実施の形態に係る画像処理装置を含むシステムの構成を示すブロック図である。
【図２】ＨＤＤに保存される設定値定義テーブルの一例を示す図である。
【図３】設定情報のデータベースの一例を示す図である。
【図４】画像処理装置で実行される処理を示すフローチャートである。
【図５】画像処理装置及び情報処理装置で実行される処理を示すフローチャートである。
【図６】図３の設定情報のデータベースの変形例を示す図である。
【図７】画像処理装置で実行される処理の変形例を示すフローチャートである。
【発明を実施するための形態】
【００３０】
以下、図面を参照しながら本発明の実施の形態を説明する。
【００３１】
（第１の実施の形態）
図１は、本発明の実施の形態に係る画像処理装置を含むシステムの構成を示すブロック図である。
【００３２】
図１のシステム１は、画像処理装置２及び情報処理装置３を備えている。画像処理装置２は、例えば、プリンタ、コピー機、ＦＡＸ装置、又は複合機で構成されている。画像処理装置２は、ＣＰＵ１１、メインメモリ１２、ハードディスクドライブ（ＨＤＤ）１３、バスブリッジ１４、通信インターフェース（Ｉ／Ｆ）１５、画像処理部１６、画像処理用メモリ１７、画像出力部１８及び画像読取部１９を備えている。さらに、画像処理装置２は、ユーザインタフェース（ＵＩ）２０、位置情報取得部２１及び方位測定センサ２２を備えている。ＣＰＵ１１は、装置全体の動作を制御する。
【００３３】
メインメモリ１２は、各ページの画像を一時保存したり、ＣＰＵ１１の制御プログラムや各種のデータを保存する。ＨＤＤ１３は、各ページの画像を保存したり、ＣＰＵ１１の制御プログラムや各種のデータを保存する。さらに、ＨＤＤ１３は、後述するような、設定値定義テーブルや設定情報のデータベース１３Ａを備えている。設定情報は、画像処理装置２に設定される各種の情報であり、例えば、画像処理装置２に設定される言語の情報、用紙サイズの情報、暗号化機能の有効・無効の情報、保守契約可能性の有無の情報、住民票発行サービスの有効・無効の情報、ＤＨＣＰサーバアドレスの情報、認証モードの情報、及びアドレス帳の情報などを含む。尚、画像処理装置２がデータベース１３Ａにアクセスできる場合には、データベース１３Ａは画像処理装置２の外部にあってもよい。例えば、図１に示すように、データベース１３Ａは、情報処理装置３に含まれていてもよい。また、メインメモリ１２又はＨＤＤ１３は、画像処理装置２の機種情報、即ち機種を特定する機種コードと、地図情報とを記憶する。
【００３４】
バスブリッジ１４は、ＣＰＵ１１と通信Ｉ／Ｆ１５、画像処理部１６、画像読取部１９又はＵＩ２０との間でデータの通信を行う。また、バスブリッジ１４は、バス２３とシステムバス２４との間を橋渡しする。
【００３５】
通信Ｉ／Ｆ１５は、ネットワークインタフェースで構成されており、ネットワーク２５を介して情報処理装置３とデータ通信を行う。画像処理部１６は、画像の圧縮又は伸張を行う。画像処理用メモリ１７は、画像処理部１６のワーキングエリアとして機能する。画像出力部１８は、画像処理部１６からの画像を用紙に出力する。画像読取部１９は、スキャナで構成され、画像を読み取る。読み取られた画像はバスブリッジ１４を介してメインメモリ１２又はＨＤＤ１３に保存される。ＵＩ２０は、ユーザによる指示に従って各種の設定を行うと共に、印刷前のプレビュー画面や各種設定を表示する。
【００３６】
位置情報取得部２１は、画像処理装置２が設置された位置を示す情報（以下、位置情報という）を取得する。位置情報取得部２１は、ＧＰＳ（Global Positioning System）、電波受信用のアンテナ、ネットワークカード又はユーザインターフェースなどで構成されている。位置情報取得部２１は、位置情報を人工衛星、携帯電話基地局、ＷｉＦｉ基地局、画像処理装置２のグローバルＩＰアドレス又はＵＩ２０で手動で設定された情報のいずれから取得する。ＵＩ２０で手動で位置情報を設定する場合は、例えば、ＵＩ２０がＨＤＤ１３に記憶された地図情報を表示し、その地図情報上で画像処理装置２の位置情報が指定される。これにより、画像処理装置２の位置情報が設定される。
【００３７】
方位測定センサ２２は、３軸地磁気センサを含み、画像処理装置２の向きを測定する。尚、画像処理装置２の向きは、画像処理装置２の正面が向いている方向、画像処理装置２の背面が向いている方向、又は画像処理装置２の一つの側面が向いている方向のいずれであってもよい。
【００３８】
ＣＰＵ１１は、バスブリッジ１４を介してバス２３及びシステムバス２４に接続されている。メインメモリ１２及びＨＤＤ１３は、バス２３を介してバスブリッジ１４に接続されている。通信Ｉ／Ｆ１５は、ネットワーク２５及びシステムバス２４に接続されている。画像処理部１６、画像読取部１９、ＵＩ２０、位置情報取得部２１及び方位測定センサ２２は、システムバス２４に接続されている。さらに、画像処理部１６は、画像処理用メモリ１７及び画像出力部１８に接続されている。制御プログラムを実行するＣＰＵ１１は、第２取得手段、更新手段、制御手段及び第２送信手段として機能する。位置情報取得部２１は第１取得手段として機能する。方位測定センサ２２は第３取得手段として機能する。ＵＩ２０は表示手段として機能する。
【００３９】
情報処理装置３は、装置全体を制御するＣＰＵ３１、制御プログラムを備えるＲＯＭ３２、ワーキングエリアとして機能するＲＡＭ３３、プリンタドライバー、各種の情報及びプログラムを備えるハードディスクドライブ（ＨＤＤ）３４、画像処理装置２と接続するための通信インターフェース（Ｉ／Ｆ）３５、キーボード及びマウスのような入力装置４と接続するためのＵＳＢ（universal serial bus）インターフェース（Ｉ／Ｆ）３６、及び表示装置５と接続するためのビデオインターフェース（Ｉ／Ｆ）３７を備えている。ＣＰＵ３１はシステムバス３８を介してＲＯＭ３２、ＲＡＭ３３、ＨＤＤ３４、通信Ｉ／Ｆ３５、ＵＳＢＩ／Ｆ３６及びビデオＩ／Ｆ３７に接続されている。ＨＤＤ３４は設定情報のデータベース１３Ａを備えていてもよい。ＣＰＵ３１は検索手段及び第１送信手段として機能する。
【００４０】
図２は、ＨＤＤ１３に保存される設定値定義テーブルの一例を示す図である。
【００４１】
設定値定義テーブルは、設定情報のデータベース１３Ａに登録される値を定義する。図２の設定項目識別子４１は、画像処理装置２に設定される項目を示す。
【００４２】
例えば、標準言語の項目では、画像処理装置２のＵＩ２０に表示される情報の言語が設定される。暗号化機能の項目では、画像処理装置２に保存されるデータを暗号化するか否かが設定される。標準用紙グループの項目では、画像処理装置２で使用される用紙のサイズが設定される。保守契約可能性の項目では、サービスマンによる画像処理装置２の保守契約の有無が設定される。住民票発行サービスの項目では、画像処理装置２が住民票を発行するか否かが設定される。つまり、住民票を発行するためのソフトウエアのライセンスを有効にするか否かが設定される。ＤＨＣＰ（Dynamic Host Configuration Protocol）サーバアドレスの項目では、画像処理装置２がＤＨＣＰサーバの機能を実行するか否かが設定される。認証モードの項目では、画像処理装置２がユーザの認証を実行するか否かが設定される。アドレス帳情報の項目では、各ユーザのメールアドレス、所属先及び電話番号等が設定される。
【００４３】
図２の設定カテゴリ４２では、設定者の種別が設定される。設定カテゴリの種類は、例えば「メーカー設定」「ベンダ設定」及び「機器管理者設定」の３種類である。設定カテゴリで設定された者が、対応する設定項目識別子の値を編集（追加、変更、削除又は参照）する。「メーカー設定」の場合は、画像処理装置２の製造メーカが設定項目識別子の値を設定する。「ベンダ設定」の場合は、画像処理装置２の販売会社が設定項目識別子の値を設定する。「機器管理者設定」の場合は、画像処理装置２の購入者が設定項目識別子の値を設定する。
【００４４】
図２のデフォルト値４３では、各設定項目識別子のデフォルト値が設定される。設定情報のデータベース１３Ａに値が設定されていない場合には、図２のデフォルト値が採用される。
【００４５】
図２の設定項目識別子４１、設定カテゴリ４２及びデフォルト値４３の情報は一例であり、これに限定されるものではない。例えば、設定項目識別子４１には、特殊フォントのソフトウエアのライセンスを有効にするか否かの項目が含まれていてもよい。
【００４６】
図３は、設定情報のデータベース１３Ａの一例を示す図である。
【００４７】
設定情報のデータベース１３Ａは、機種コード５１、設定内容５２、位置情報取得優先順位５３及び有効範囲情報５４を備えており、これらは互いに関連づけされている。図２の設定カテゴリ４２に規定された設定者が、設定情報のデータベース１３ＡをＵＩ２０を使って編集することができる。
【００４８】
機種コード５１は、画像処理装置２の機種を識別するコードである。図３において、「＊」は任意の機種を示す。設定内容５２は、設定項目識別子５２Ａ及び値５２Ｂを含む。設定項目識別子５２Ａは、図２の設定項目識別子４１に対応し、画像処理装置２に設定される項目を示す。値５２Ｂは、実際に画像処理装置２に設定される設定項目識別子５２Ａの値を示す。例えば、設定項目識別子５２Ａが標準言語である場合には、値５２Ｂとして「Japanese」、「French」、「English」又は「Chinese」等の言語が設定される。設定項目識別子５２Ａが暗号化機能である場合には、値５２Ｂとして「無効」又は「有効」の何れかが設定される。設定項目識別子５２Ａが保守契約可能性である場合には、値５２Ｂとして「あり」又は「なし」の何れかが設定される。設定項目識別子５２Ａが住民票発行サービスである場合には、値５２Ｂとして「無効」又は「有効」の何れかが設定される。設定項目識別子５２ＡがＤＨＣＰサーバアドレスである場合には、値５２ＢとしてＤＨＣＰサーバのＩＰアドレスが設定される。設定項目識別子５２Ａが認証モードである場合には、値５２Ｂとして「ＬＤＡＰ認証」、「生体認証」等が設定される。設定項目識別子５２Ａがアドレス帳情報である場合には、値５２Ｂとして「アドレス帳パターン１」「アドレス帳パターン２」等が設定される。
【００４９】
位置情報取得優先順位５３は、位置情報の取得先及び取得順番を規定する。例えば、１行目の位置情報取得優先順位は、人工衛星、携帯電話基地局、ＷｉＦｉ基地局、手動（地図から指定）となっている。この場合、人工衛星から位置情報を取得できる場合には、位置情報の取得の処理は終了する。人工衛星から位置情報を取得できない場合には、携帯電話基地局から位置情報を取得する。このように、位置情報を取得できない場合に、順番に位置情報の取得先を切り換える。
【００５０】
有効範囲情報５４は、中心経度５４Ａ、中心緯度５４Ｂ、中心からの距離５４Ｃ、国名５４Ｄ、都市名５４Ｅ及び地域名５４Ｆを含む。有効範囲情報５４は、画像処理装置２の設定の有効範囲を規定する。図３の有効範囲情報５４内の「＊」は任意の値である。例えば、画像処理装置２の設定の有効範囲は、中心経度５４Ａ及び中心緯度５４Ｂに基づいて、点で規定されてもよいし、中心経度５４Ａ、中心緯度５４Ｂ及び中心からの距離５４Ｃに基づいて、範囲で規定されてもよい。また、画像処理装置２の設定の有効範囲は、国名５４Ｄ、都市名５４Ｅ又は地域名５４Ｆのいずれかで規定されてもよい。
【００５１】
位置情報取得部２１で取得された画像処理装置２の位置情報が、有効範囲情報５４で規定された１つの有効範囲に該当する場合、当該有効範囲に対応する設定内容５２の情報が画像処理装置２に設定される。例えば、画像処理装置２の位置情報に対応する同一の設定項目識別子（例えば、標準言語）が複数ある場合には、番号の小さい値５２Ｂが優先的に画像処理装置２に設定される。
【００５２】
尚、ＣＰＵ１１は、画像処理装置２の現在の各設定の有効範囲を管理する。具体的には、ＣＰＵ１１は図３の設定情報のデータベース１３Ａに印やフラグなどを付して画像処理装置２の現在の各設定の有効範囲を管理する。または、ＣＰＵ１１は、図３の設定情報のデータベース１３Ａから画像処理装置２の現在の各設定の有効範囲を抜き出して、メインメモリ１２又はＨＤＤ１３内に保存し管理してもよい。
【００５３】
図３の設定情報のデータベース１３Ａは、機種コード５１、設定内容５２、位置情報取得優先順位５３及び有効範囲情報５４を備えているが、これに限定するものではない。例えば、図３の設定情報のデータベース１３Ａは、少なくとも、設定内容５２と有効範囲情報５４とを備えていればよい。
【００５４】
図４は、画像処理装置２で実行される処理を示すフローチャートである。
【００５５】
まず、画像処理装置２の電源がＯＮにされると（ステップＳ１）、ＣＰＵ１１は、位置情報取得部２１から画像処理装置２の位置情報を取得できるか否かを判別する（ステップＳ２）。ステップＳ２でＹＥＳの場合には、ＣＰＵ１１は、位置情報取得部２１から画像処理装置２の位置情報を取得する（ステップＳ３）。
【００５６】
次いで、ＣＰＵ１１は、取得した位置情報が画像処理装置２の現在の各設定の有効範囲内にあるか否かを判別する（ステップＳ４）。ここでは、ＣＰＵ１１は、画像処理装置２の設定毎に判別を実行する。
【００５７】
ステップＳ４でＹＥＳの場合には、手順はステップＳ１に戻る。ステップＳ４でＮＯの場合には、ＣＰＵ１１は、画像処理装置２の機種コードと取得した位置情報とに基づいて設定情報のデータベース１３Ａを検索する（ステップＳ５）。ＣＰＵ１１は、画像処理装置２の機種コードと取得した位置情報とに対応する設定内容を取得できるか否かを判別する（ステップＳ６）。
【００５８】
ステップＳ６でＹＥＳの場合には、ＣＰＵ１１は、画像処理装置２の現在の各設定を、取得した設定内容で更新する（ステップＳ７）。これにより、画像処理装置２の位置情報に適した設定内容が画像処理装置２に設定される。
【００５９】
ステップＳ２でＮＯの場合（即ち、位置情報取得部２１から画像処理装置２の位置情報を取得できない場合）及びステップＳ６でＮＯの場合（即ち、画像処理装置２の機種コードと取得した位置情報とに対応する設定内容を取得できない場合）には、ＣＰＵ１１は、画像処理装置２の一部又は全部の機能を停止する（ステップＳ８）。ここで、画像処理装置２の機能は、例えば、プリント機能、ＦＡＸ機能、スキャン機能、及び電子メール送受信機能等である。一部の機能を停止するとは、例えば、プリント機能だけを利用可能にして、その他の機能を利用不可にすることである。
【００６０】
さらに、ＣＰＵ１１はＵＩ２０に警告表示を行う又は画像処理装置２の設定を初期状態としての工場出荷状態に戻す（ステップＳ９）。例えば、ＵＩ２０は、警告表示として画像処理装置２の位置が各設定の有効範囲内にないことを示す。または、ＵＩ２０は、警告表示として画像処理装置２の位置及び各設定の有効範囲を地図上に示す。これにより、管理者は、画像処理装置２をどこに移動させればよいのかを把握できる。尚、画像形成装置２が移動されて各設定の有効範囲内に設置された場合には、画像処理装置２を再起動することで利用可能になる。また、画像処理装置２の設定を工場出荷状態に戻す場合には、画像処理装置２に保存された情報や設定が破棄されるので、画像処理装置２内の情報のセキュリティが向上する。
【００６１】
上記ステップＳ５では、ＣＰＵ１１は、画像処理装置２の機種コードと取得した位置情報とに基づいて設定情報のデータベース１３Ａを検索したが、取得した位置情報のみに基づいて設定情報のデータベース１３Ａを検索してもよい。これは、図３の設定情報のデータベース１３Ａが機種コードを備えない場合もあるからである。この場合、ステップＳ６では、ＣＰＵ１１は、取得した位置情報に対応する設定内容を取得できるか否かを判別する。
【００６２】
また、設定情報のデータベース１３Ａは画像処理装置２及び情報処理装置３の両方に含まれていてもよい。この場合、両方の設定情報のデータベース１３Ａは同期する。例えば、画像処理装置２の設定情報のデータベース１３Ａが編集された場合には、ＣＰＵ１１が編集された部分の情報を情報処理装置３に送信し、ＣＰＵ３１が編集された部分の情報を使って情報処理装置３の設定情報のデータベース１３Ａを更新する。これにより、例えば、画像処理装置２を新たな画像処理装置２に置き換える場合に、新たな画像処理装置２は元の画像処理装置２の設定情報のデータベース１３Ａを情報処理装置３から取得可能である。
【００６３】
また、図４では、位置情報に応じて、画像処理装置２の設定内容を変更しているが、画像処理装置２の機能毎に、画像処理装置２の設定内容の維持又は変更を選択できるようにしてもよい。この場合、ＵＩ２０が画像処理装置２の機能毎に、画像処理装置２の設定内容の維持又は変更を実行する設定画面を表示する。例えば、操作者がＵＩ２０に表示される設定画面でＦＡＸ機能の設定内容を変更する設定を実行し、プリント機能の設定内容を維持する設定を実行した場合には、ＦＡＸ機能の設定内容は、位置情報に応じて変更するが、プリント機能の設定内容は、位置情報によらず維持される。
【００６４】
図５は、画像処理装置２及び情報処理装置３で実行される処理を示すフローチャートである。ここでは、情報処理装置３のＨＤＤ３４が設定情報のデータベース１３Ａを備えているものとする。図４と同一の処理には、同一のステップ番号を付し、その説明を省略する。
【００６５】
ステップＳ４でＮＯの場合（即ち、ステップＳ２で取得した位置情報が画像処理装置２の現在の各設定の有効範囲内にない場合、）には、ＣＰＵ１１は、位置情報が変更されたタイミングで画像処理装置２の機種コードと、ステップＳ２で取得した位置情報と、設定情報のデータベース１３Ａの検索命令とを情報処理装置３に送信する（ステップＳ１１）。尚、設定情報のデータベース１３Ａが機種コードを備えない場合には、画像処理装置２の機種コードは送信されない。
【００６６】
次いで、ＣＰＵ１１は、情報処理装置３から、送信した機種コード及び送信した位置情報に対応する設定内容を受信したか否かを判別する（ステップＳ１２）。ステップＳ１２でＮＯの場合には、ＣＰＵ１１は、後述するように、現在の位置情報が使用禁止領域内であることを示す情報を受信する。
【００６７】
ステップＳ１２でＹＥＳの場合には、手順はステップＳ７に進む。一方、ステップＳ１２でＮＯの場合には、手順はステップＳ８に進む。
【００６８】
情報処理装置３のＣＰＵ３１は、ステップＳ１１で画像処理装置２から送信された、機種コード、位置情報、及び設定情報のデータベース１３Ａの検索命令とを受信する（ステップＳ２１）。ＣＰＵ３１は受信した機種コードと受信した位置情報とに基づいて設定情報のデータベース１３Ａを検索する（ステップＳ２２）。ＣＰＵ３１は、機種コード及び位置情報に対応する設定内容を取得できるか否かを判別する（ステップＳ２３）。
【００６９】
ステップＳ２３でＹＥＳの場合には、ＣＰＵ３１は、機種コード及び位置情報に対応する設定内容を画像処理装置２に送信する（ステップＳ２４）。ステップＳ２３でＮＯの場合には、ＣＰＵ３１は、機種コード及び位置情報に対応する設定内容を設定情報のデータベース１３Ａから取得できないので、現在の位置情報が使用禁止領域内であることを示す情報を画像処理装置２に送信する（ステップＳ２５）。
【００７０】
図５の処理によれば、設定情報のデータベース１３Ａを備えていない画像処理装置２が移動した場合であっても、移動後の位置情報に適した設定内容が画像処理装置２に設定される。
【００７１】
尚、設定カテゴリで設定された者は、画像処理装置２のＵＩ２０から、情報処理装置３内の設定情報のデータベース１３Ａを呼び出し、設定情報のデータベース１３Ａを編集してもよい。
【００７２】
図６は、図３の設定情報のデータベースの変形例を示す図である。
【００７３】
図６の設定情報のデータベース１３Ａでは、位置情報取得優先順位５３及び有効範囲情報５４の代わりに有効範囲情報５５が設定内容５２と関連付けられている。有効範囲情報５５は、画像処理装置２の向き（例えば画像処理装置２の正面が向いている方向）に基づいて画像処理装置２の設定の有効範囲を規定している。図６の有効範囲情報５５内の「＊」は任意の方向である。
【００７４】
図６の設定情報のデータベース１３Ａは、機種コード５１、設定内容５２及び有効範囲情報５５を備えているが、これに限定するものではない。例えば、図６の設定情報のデータベース１３Ａは、少なくとも、設定内容５２と有効範囲情報５５とを備えていればよい。また、図６の設定情報のデータベース１３Ａは、図３の設定情報のデータベースに加えて、有効範囲情報５５を備えていてもよい。また、図６の設定情報のデータベース１３Ａは、画像処理装置２に含まれるが、情報処理装置３又は画像処理装置２及び情報処理装置３の両方に含まれてもよい。
【００７５】
図７は、画像処理装置２で実行される処理の変形例を示すフローチャートである。ここでは、図６の設定情報のデータベース１３Ａが、画像処理装置２に含まれるものとする。また、図４の処理と同一の処理には同一のステップ番号を付し、その説明を省略する。
【００７６】
まず、画像処理装置２の電源がＯＮにされると（ステップＳ１）、ＣＰＵ１１は、方位測定センサ２２から画像処理装置２の向きの情報（以下、向き情報という）を取得できるか否かを判別する（ステップＳ３２）。向き情報は、例えば画像処理装置２の正面が向いている方向を示す情報である。
【００７７】
ステップＳ３２でＹＥＳの場合には、ＣＰＵ１１は、方位測定センサ２２から画像処理装置２の向き情報を取得する（ステップＳ３３）。
【００７８】
次いで、ＣＰＵ１１は、取得した向き情報が画像処理装置２の現在の各設定の有効範囲内にあるか否かを判別する（ステップＳ３４）。ここでは、ＣＰＵ１１は、画像処理装置２の設定毎に判別を実行する。
【００７９】
ステップＳ３４でＹＥＳの場合には、手順はステップＳ１に戻る。ステップＳ３４でＮＯの場合には、ＣＰＵ１１は、画像処理装置２の機種コードと取得した向き情報とに基づいて図６の設定情報のデータベース１３Ａを検索する（ステップＳ３５）。ＣＰＵ１１は、画像処理装置２の機種コードと取得した向き情報とに対応する設定内容を取得できるか否かを判別する（ステップＳ３６）。ステップＳ３６でＹＥＳの場合には、ステップＳ７の手順に進む。ステップＳ３２でＮＯの場合（即ち、方位測定センサ２２から向き情報を取得できない場合）及びステップＳ３６でＮＯの場合（即ち、画像処理装置２の機種コードと取得した向き情報とに対応する設定内容を取得できない場合）には、ステップＳ８の手順に進む。
【００８０】
上記ステップＳ３５では、ＣＰＵ１１は、画像処理装置２の機種コードと取得した向き情報とに基づいて設定情報のデータベース１３Ａを検索したが、取得した向き情報のみに基づいて設定情報のデータベース１３Ａを検索してもよい。これは、図６の設定情報のデータベース１３Ａが機種コードを備えない場合もあるからである。この場合、ステップＳ３６では、ＣＰＵ１１は、取得した向き情報に対応する設定内容を取得できるか否かを判別する。
【００８１】
図７の処理によれば、設定の変更を手動で行う必要がなく、画像処理装置２の向きを変更するだけで画像処理装置２の設定内容を変更することができるので、設定変更のミスを低減することができる。例えば、画像処理装置２を挟んで２つの部門があり、画像処理装置２が１つの部門で使用されている場合に、画像処理装置２の向きを変更するだけで、画像処理装置２の設定内容を他の部門で使用される設定内容に変更できる。
【００８２】
以上説明したように、本実施の形態によれば、ＣＰＵ１１が、画像処理装置２の位置を示す位置情報を取得し（ステップＳ３）、取得された位置情報の示す位置が、画像処理装置２の現在の設定が有効である範囲内にない場合に、データベース１３Ａから、取得された位置情報を含む有効範囲に連付けされた画像処理装置の設定情報を検出し（ステップＳ５，Ｓ６）、当該検出された設定情報を使って画像処理装置２の現在の設定を更新する（ステップＳ７）。よって、画像処理装置２の移動に応じて必要な設定の変更が自動的に行われ、設定の変更を手動で行う必要がないので、設定変更のミスを低減することができる。
【００８３】
また、図３の設定情報のデータベース１３Ａは、国名、都市名又は地域名のような仕向け地毎に設定内容を保持しているので、仕向け地毎に自動的に設定が切り換えられる。
【００８４】
また、図３の設定情報のデータベース１３Ａでは、設定項目識別子５２Ａの住民票発行サービスを有効範囲情報５４と関連づけて管理するので、ソフトウエアのライセンスを有効にするか否かを示す情報が画像処理装置２の設定の有効範囲と関連づけて管理される。これにより、例えば、住民票のようなエリアを限定したサービスの設定を別途実行する必要がなくなる。つまり、画像処理装置２では、画像処理装置２の移動に応じてソフトウエアのライセンスの設定も実行される。
【００８５】
画像処理装置２の機能を実現するためのソフトウェアのプログラムが記録されている記録媒体を、ＣＰＵ１１に供給し、ＣＰＵ１１が記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。また、画像処理装置２のＣＰＵ１１が、画像処理装置２の機能を実現するためのソフトウェアのプログラムを実行することによっても、上記実施の形態と同様の効果を奏する。
【符号の説明】
【００８６】
１  システム
２  画像処理装置
３  情報処理装置
１１  ＣＰＵ
１２  メインメモリ
１３  ハードディスクドライブ
１４  バスブリッジ
１５  通信インターフェース（Ｉ／Ｆ）
１６  画像処理部
１７  画像処理用メモリ
１８  画像出力部
１９  画像読取部
２０  ユーザインタフェース（ＵＩ）
２１  位置情報取得部
２２  方位測定センサ
【図１】
2014010440.tif 000003
【図２】
2014010440.tif 000004
【図３】
2014010440.tif 000005
【図４】
2014010440.tif 000006
【図５】
2014010440.tif 000007
【図６】
2014010440.tif 000008
【図７】
2014010440.tif 000009